(57)【特許請求の範囲】
【請求項１】
四角形状の基板の３辺に壁体を立設し、対向する壁体の端部にそれぞれ内方に突出する２つの突起を設け、残りの壁体の端部に凹部を２つ設け、前記壁体を設けない１辺とこれに隣接する前記壁体に亘って連続するコ字状の溝部を設けて成る第一筐体部と、
前記第一筐体部と同様に四角形状の基板の３辺に壁体を立設し、対向する壁体の端部に前記突起を嵌入させる凹部を有する突起部をそれぞれ２つ設け、残りの壁体に前記凹部に嵌入する突起を２つ設け、前記壁体を設けない１辺とこれに隣接する前記壁体に亘って連続するコ字状の溝部を設けて成る第二筐体部と、
一端部にバネ部材を設け、前記第一筐体部および前記第二筐体部の溝部に嵌入されるパネル部材と
を備え、
前記バネ部材を介して前記パネル部材を前記溝部に載置した前記第二筐体部の開口部側に、前記第一筐体部を該第一筐体部の溝部の該第一筐体部の内方に位置する縁部に前記パネル部材の前記バネ部材と対向する他端部が当接するように前記パネル部材のバネ部材を押圧して重ね、前記第一筐体部の壁体と前記第二筐体部の壁体とを当接した状態で前記第一筐体部または前記第二筐体部を動かして前記第一筐体部の各突起を前記第二筐体部の各凹部に嵌入させるとともに前記第一筐体部の各凹部に前記第二筐体部の各突起を嵌入させ、かつ前記パネル部材の前記他端部を前記第一筐体部の溝部の縁部から前記第一筐体部の溝部内に移動させるとともに前記バネ部材の反発力によって該パネル部材の他端部を前記第一筐体部の溝部に嵌入させ、もって前記第一筐体部と第二筐体部とを組み付けて成る
ことを特徴とする筐体。
【請求項２】
四角形状の基板の３辺に壁体を立設し、対向する壁体の端部にそれぞれ内方に突出する２つの突起を設け、残りの壁体の端部に凹部を２つ設け、前記壁体を設けない１辺とこれに隣接する前記壁体に亘って連続するコ字状の溝部を設けて成る第一筐体部と、
前記第一筐体部と同様に四角形状の基板の３辺に壁体を立設し、対向する壁体の端部に前記突起を嵌入させる凹部を有する突起部をそれぞれ２つ設け、残りの壁体に前記凹部に嵌入する突起を２つ設け、前記壁体を設けない１辺とこれに隣接する前記壁体に亘って連続するコ字状の溝部を設けて成る第二筐体部と、
一端部にバネ部材を設けるとともに分解時に押下される把持部を設け、前記第一筐体部および前記第二筐体部の溝部に嵌入されるパネル部材と
を備え、
前記第一筐体部と第二筐体部との組付は、前記バネ部材を介して前記パネル部材を前記溝部に載置した前記第二筐体部の開口部側に、前記第一筐体部を該第一筐体部の溝部の該第一筐体部の内方に位置する縁部に前記パネル部材の前記バネ部材と対向する他端部が当接するように前記パネル部材のバネ部材を押圧して重ね、前記第一筐体部の壁体と前記第二筐体部の壁体とを当接した状態で前記第一筐体部または前記第二筐体部を動かして前記第一筐体部の各突起を前記第二筐体部の各凹部に嵌入させるとともに前記第一筐体部の各凹部に前記第二筐体部の各突起を嵌入させ、かつ前記パネル部材の前記他端部を前記第一筐体部の溝部の縁部から前記第一筐体部の溝部内に移動させるとともに前記バネ部材の反発力によって該パネル部材の他端部を前記第一筐体部の溝部に嵌入させることにより行われ、
前記第一筐体部と第二筐体部との組付解除は、前記パネル部材の把持部を第二筐体部側に押下し、前記パネル部材のバネ部材を圧縮して他端部を前記第一筐体部の溝部の縁部より前記第二筐体部側へ移動させた状態で、前記第一筐体部または前記第二筐体部を動かして前記第一筐体部の各突起を前記第二筐体部の各凹部から離脱させるとともに前記第一筐体部の各凹部から前記第二筐体部の各突起を離脱させることにより行われるように構成されて成る
ことを特徴とする筐体。
【請求項３】
請求項１または請求項２記載の筐体において、
前記第一筐体部の残りの壁体の端部に設けた２つの凹部は、前記壁体の端部より内方に突出する突条に形成されている
ことを特徴とする筐体。
【請求項４】
請求項１または請求項２記載の筐体において、
前記第一筐体部の溝部の該第一筐体部の内方に位置する縁部は、前記パネル部材の板厚より大きな接地面を有する
ことを特徴とする筐体。
【請求項５】
請求項１または請求項２記載の筐体において、
前記第二筐体部の対向する壁体の端部にそれぞれ設けた２つの凹部は、前記壁体の端部より内方に突出する突条に、前記第一筐体部の各突起を嵌入させる横穴を形成することによって構成されている
ことを特徴とする筐体。
【請求項６】
請求項１または請求項２記載の筐体において、
前記第二筐体部の残りの壁体の端部に設けた２つの突起は、前記壁体の端部より内方に突出している
ことを特徴とする筐体。
【請求項７】
請求項１または請求項２記載の筐体において、
前記パネル部材の一端部に設けたバネ部材は、バネ弾性を有する複数の折曲片によって形成されている
ことを特徴とする筐体。
【請求項８】
請求項１ないし請求項７の何れか１項記載の筐体と、この筐体の内部に収容された実装部品とから成ることを特徴とする電子機器。
【発明の詳細な説明】
【０００１】
【発明の属する技術分野】
本発明は、組立自在な筐体およびこの筐体を用いた電子機器に関する。
【０００２】
【従来の技術】
従来、例えば、電子機器の筐体は、図１５に示すように、電子部品３を上部筐体１と下部筐体２の内部に搭載した後、上部筐体１と下部筐体２をネジ４により固定して一体化する構成になっていた。
また、組立て後の電子機器を修理もしくは廃棄するために分解する場合、ネジ４を取り外し、上下筐体１，２を分離し、その後、内部の電子部品３を修理もしくは廃棄のために分別、回収を行うようになっていた。
【０００３】
【発明が解決しようとする課題】
しかし、このような筐体の構造では、上部筐体１と下部筐体２をネジ４により固定して一体化するため、ネジ４の取り付けおよび取り外しの作業が煩雑で時間がかかり、製造コストも上がるという問題があった。
また、廃棄時の電子部品の回収に時間がかかるため、効率的なリサイクルが行なえないという問題があった。
本発明は、斯かる従来の問題点を解決するためになされたもので、その目的は、作業コストの軽減とリサイクルの効率化を進めることが可能な筐体および電子機器を提供することにある。
【０００４】
【課題を解決するための手段】
請求項１に係る発明は、四角形状の基板の３辺に壁体を立設し、対向する壁体の端部にそれぞれ内方に突出する２つの突起を設け、残りの壁体の端部に凹部を２つ設け、前記壁体を設けない１辺とこれに隣接する前記壁体に亘って連続するコ字状の溝部を設けて成る第一筐体部と、前記第一筐体部と同様に四角形状の基板の３辺に壁体を立設し、対向する壁体の端部に前記突起を嵌入させる凹部を有する突起部をそれぞれ２つ設け、残りの壁体に前記凹部に嵌入する突起を２つ設け、前記壁体を設けない１辺とこれに隣接する前記壁体に亘って連続するコ字状の溝部を設けて成る第二筐体部と、一端部にバネ部材を設け、前記第一筐体部および前記第二筐体部の溝部に嵌入されるパネル部材とを備え、前記バネ部材を介して前記パネル部材を前記溝部に載置した前記第二筐体部の開口部側に、前記第一筐体部を該第一筐体部の溝部の該第一筐体部の内方に位置する縁部に前記パネル部材の前記バネ部材と対向する他端部が当接するように前記パネル部材のバネ部材を押圧して重ね、前記第一筐体部の壁体と前記第二筐体部の壁体とを当接した状態で前記第一筐体部または前記第二筐体部を動かして前記第一筐体部の各突起を前記第二筐体部の各凹部に嵌入させるとともに前記第一筐体部の各凹部に前記第二筐体部の各突起を嵌入させ、かつ前記パネル部材の前記他端部を前記第一筐体部の溝部の縁部から前記第一筐体部の溝部内に移動させるとともに前記バネ部材の反発力によって該パネル部材の他端部を前記第一筐体部の溝部に嵌入させ、もって前記第一筐体部と第二筐体部とを組み付けて成ることを特徴とする。
【０００５】
請求項２に係る発明は、四角形状の基板の３辺に壁体を立設し、対向する壁体の端部にそれぞれ内方に突出する２つの突起を設け、残りの壁体の端部に凹部を２つ設け、前記壁体を設けない１辺とこれに隣接する前記壁体に亘って連続するコ字状の溝部を設けて成る第一筐体部と、前記第一筐体部と同様に四角形状の基板の３辺に壁体を立設し、対向する壁体の端部に前記突起を嵌入させる凹部を有する突起部をそれぞれ２つ設け、残りの壁体に前記凹部に嵌入する突起を２つ設け、前記壁体を設けない１辺とこれに隣接する前記壁体に亘って連続するコ字状の溝部を設けて成る第二筐体部と、一端部にバネ部材を設けるとともに分解時に押下される把持部を設け、前記第一筐体部および前記第二筐体部の溝部に嵌入されるパネル部材とを備え、前記第一筐体部と第二筐体部との組付は、前記バネ部材を介して前記パネル部材を前記溝部に載置した前記第二筐体部の開口部側に、前記第一筐体部を該第一筐体部の溝部の該第一筐体部の内方に位置する縁部に前記パネル部材の前記バネ部材と対向する他端部が当接するように前記パネル部材のバネ部材を押圧して重ね、前記第一筐体部の壁体と前記第二筐体部の壁体とを当接した状態で前記第一筐体部または前記第二筐体部を動かして前記第一筐体部の各突起を前記第二筐体部の各凹部に嵌入させるとともに前記第一筐体部の各凹部に前記第二筐体部の各突起を嵌入させ、かつ前記パネル部材の前記他端部を前記第一筐体部の溝部の縁部から前記第一筐体部の溝部内に移動させるとともに前記バネ部材の反発力によって該パネル部材の他端部を前記第一筐体部の溝部に嵌入させることにより行われ、前記第一筐体部と第二筐体部との組付解除は、前記パネル部材の把持部を第二筐体部側に押下し、前記パネル部材のバネ部材を圧縮して他端部を前記第一筐体部の溝部の縁部より前記第二筐体部側へ移動させた状態で、前記第一筐体部または前記第二筐体部を動かして前記第一筐体部の各突起を前記第二筐体部の各凹部から離脱させるとともに前記第一筐体部の各凹部から前記第二筐体部の各突起を離脱させることにより行われるように構成されて成ることを特徴とする。
【０００６】
請求項３に係る発明は、請求項１または請求項２記載の筐体において、前記第一筐体部の残りの壁体の端部に設けた２つの凹部は、前記壁体の端部より内方に突出する突条に形成されていることを特徴とする。
請求項４に係る発明は、請求項１または請求項２記載の筐体において、前記第一筐体部の溝部の該第一筐体部の内方に位置する縁部は、前記パネル部材の板厚より大きな接地面を有することを特徴とする。
【０００７】
請求項５に係る発明は、請求項１または請求項２記載の筐体において、前記第二筐体部の対向する壁体の端部にそれぞれ設けた２つの凹部は、前記壁体の端部より内方に突出する突条に、前記第一筐体部の各突起を嵌入させる横穴を形成することによって構成されていることを特徴とする。
請求項６に係る発明は、請求項１または請求項２記載の筐体において、前記第二筐体部の残りの壁体の端部に設けた２つの突起は、前記壁体の端部より内方に突出していることを特徴とする。
【０００８】
請求項７に係る発明は、請求項１または請求項２記載の筐体において、前記パネル部材の一端部に設けたバネ部材は、バネ弾性を有する複数の折曲片によって形成されていることを特徴とする。
請求項８に係る発明は、請求項１ないし請求項７の何れか１項記載の筐体と、この筐体の内部に収容された実装部品とから成ることを特徴とする。
【０００９】
【発明の実施の形態】
以下、本発明を図面に示す実施形態に基づいて説明する。
図１〜図１４は、本発明の一実施形態に係る筐体１０を示す（請求項２〜請求項７に対応する）。
筐体１０は、樹脂製の上部筐体（第一筐体部）２０と樹脂製の下部筐体（第二筐体部）３０と樹脂製のパネル部材４０とで構成されている。
上部筐体２０は、図２、図３に示すように、四角形状の基板２１と、基板２１の３辺に一体的に立設した壁体２２ａ，２２ｂ，２２ｃと、対向する壁体２２ａ，２２ｃの端部にそれぞれ内方に突出して一体的に設けた２つの突起２３と、残りの壁体２２ｂの端部に設けた２つの凹部２４と、壁体を設けない１辺とこれに隣接する壁体２２ａ，２２ｃに亘って連続して設けられたコ字状の溝部２５とを有する。
【００１０】
２つの凹部２４は、壁体２２ｂの端部より内方に突出する突条２６に形成されている。
溝部２５の内方に位置する縁部２５ａは、パネル部材４０の板厚より大きな接地面を有する。また、溝部２５の外方に位置する縁部２５ｂは、縁部２５ａより上部筐体２０の開口２７側へ突出している。
【００１１】
下部筐体３０は、図４、図５に示すように、四角形状の基板３１と、基板３１の３辺に一体的に立設した壁体３２ａ，３２ｂ，３２ｃと、対向する壁体３２ａ，３２ｃの端部にそれぞれ内方に突出して一体的に設けた２つの凹部３３と、残りの壁体３２ｂの端部に設けた２つの突起３４と、壁体を設けない１辺とこれに隣接する壁体３２ａ，３２ｃに亘って連続して設けられたコ字状の溝部３５とを有する。
【００１２】
２つの凹部３３は、壁体３２ａ，３２ｂの端部より内方に突出する突条３６に、上部筐２０の各突起２３を嵌入させる横穴３３ａを形成することによって構成されている。
残りの壁体３２ｂの端部に設けた２つの突起３４は、壁体３２ｂの端部より内方に突出している。
【００１３】
溝部３５の内方および外方に位置する縁部３５ａ，３５ｂは、ほぼ同じ高さで開口部３７側へ突出している。
パネル部材４０は、図６〜図９に示すように、上部筐体２０および下部筐体３０の溝部２５，２５内に嵌入される板厚を有する板状部材から成り、一端部にバネ部材４１を設けるとともに分解時に押下される把持部４２を設けている。
【００１４】
バネ部材４１は、バネ弾性を有する複数の折曲片４１ａによって形成されている。
次に、斯くして構成された本実施形態に係る筐体の組立を説明する。
先ず、図１のステップ１に示すように、下部筐体３０の溝部３５にバネ部材４１を介してパネル部材４０を載置する。
【００１５】
次に、ステップ２に示すように、下部筐体３０の開口部３７側に、上部筐体２０の開口部２７側を重ねる。
この際、上部筐体２０は、図１０に示すように、上部筐体２０の溝部２５の内方に位置する縁部２５ａにパネル部材４０のバネ部材４１と対向する他端部４３を当接させる位置に置かれ、次に、図１１に示すように、上部筐体２０を下部筐体３０に向かって押圧し、パネル部材４０のバネ部材４１を、図７から図８に示すように押圧して重ねる。
【００１６】
次に、図１２に示すように、上部筐体２０の壁体２２ａ，２２ｂ，２２ｃと下部筐体３０の壁体３２ａ，３２ｂ，３２ｃとを当接した状態で、上部筐体２０を動かして上部筐体２０の各突起２３を下部筐体３０の各凹部３３に嵌入させるとともに上部筐体２０の各凹部２４に下部筐体３０の各突起３４を嵌入させる。この操作と平行して、パネル部材４０の他端部４３を上部筐体２０の溝部２５の縁部２５ａから溝部２５内に移動させると、図９に示すように、パネル部材４０は、バネ部材４１の反発力によって他端部４３を上部筐体２０の溝部２５内に嵌入させる。
【００１７】
斯くして、図１のステップ３および図１３に示すように、上部筐体２０と下部筐体３０とは、両者の突起２３と凹部３３による係合、両者の凹部２４と突起３４との係合、およびパネル部材４０による両者の溝部２５，３５内への嵌入によって結合され、ネジ無しで組み立てられた筐体１０を得ることができる。
次に、斯くして組み立てられた筐体１０の分解を説明する。
【００１８】
図１４に示すように、パネル部材４０の前面に設けた把持部４２を下部筐体３０側に押下し、パネル部材４０のバネ部材４１を図７および図８に示すように圧縮して他端部４３を上部筐体２０の溝部２５の縁部２５ａより下部筐体３０側へ移動させた状態で、上部筐体２０または下部筐体３０を動かし、図１１に示すように、上部筐体２０の各突起２３を下部筐体３０の各凹部３３から離脱させるとともに上部筐体２０の各凹部２４から下部筐体３０の各突起３４を離脱させと、上部筐体２０と下部筐体３０とを結合関係が解除されるので、上部筐体２０と下部筐体３０とが分離される。
【００１９】
以上により、筐体１０の分解が容易に行われる。
なお、上記実施形態では、組立、分解ができる筐体１０について説明したが、パネル部材４０に把持部４２を設けず、例えば、パネル部材４０の開口部などを介して分解を行うようにしても良い（請求項１に対応する）。
また、筐体１０の組立時または組立後に、内部に実装部品を収容した電子機器とすることができる（請求項８に対応する）。
【００２０】
【発明の効果】
本発明によれば、ネジやリベットなどの固定部品を使用せずに筐体の組立および分解を行うことができる。
また、本発明によれば、組立および分解する際に工具を使用せず、手作業にて行うことができる。
また、本発明によれば、他のネジ、リベットなどを使用した従来の筐体と比べ組立分解時の破損が出ないので、リサイクル回数が多くなるという利点を有する。
【００２１】
また、本発明によれば、ネジ類を使用しないので、筐体の材料を単一にでき、異種材料の混合が無く、廃棄の効率が良くなる。
また、本発明によれば、電子機器の筐体をネジやリベットなどの固定部品を使用せず、かつそれらを止める工具を不要とし、手作業のみにて容易に筐体を組立てすることができるので、部品点数の削減と組立作業の工数削減が可能となる。
【図面の簡単な説明】
【図１】本発明の一実施形態に係る筐体の組立を示す説明図である。
【図２】図１の筐体に用いられる上部筐体を示す説明図である。
【図３】図２の要部を示す拡大図である。
【図４】図１の筐体に用いられる下部筐体を示す説明図である。
【図５】図４の要部を示す拡大図である。
【図６】図１の筐体に用いられるパネル部材を示す説明図である。
【図７】図６の要部を示す拡大図である。
【図８】図６の要部を示す拡大図である。
【図９】図６の要部を示す拡大図である。
【図１０】図１の筐体の組立を示す説明図である。
【図１１】図１の筐体の組立を示す説明図である。
【図１２】図１の筐体の組立を示す説明図である。
【図１３】図１の筐体を示す斜視図である。
【図１４】図１の筐体の分解を示す説明図である。
【図１５】従来の筐体を示す断面図である。
【符号の説明】
１０  筐体
２０  上部筐体（第一筐体部）
２１，３１  四角形状の基板
２２ａ，２２ｂ，２２ｃ，３２ａ，３２ｂ，３２ｃ  壁体
２３，３４  突起
２４，３３  凹部
２５，３５  溝部
２５ａ，２５ｂ，３５ａ，３５ｂ  縁部
２６，３６  突条
２７，３７  開口部
３０  下部筐体（第二筐体部）
３３ａ  横穴
４０  パネル部材
４１  バネ部材
４２  把持部
４３  他端部
【図１】
0003910034.tif 000002
【図２】
0003910034.tif 000003
【図３】
0003910034.tif 000004
【図４】
0003910034.tif 000005
【図５】
0003910034.tif 000006
【図６】
0003910034.tif 000007
【図７】
0003910034.tif 000008
【図８】
0003910034.tif 000009
【図９】
0003910034.tif 000010
【図１０】
0003910034.tif 000011
【図１１】
0003910034.tif 000012
【図１２】
0003910034.tif 000013
【図１３】
0003910034.tif 000014
【図１４】
0003910034.tif 000015
【図１５】
0003910034.tif 000016